(57)【要約】【解決手段】  所定広さの口部１１、耳部１２とこれらを連結する連結部１３とからなる板状の本体２と、本体２の口部１１には挿入孔３ｃにマイク４を挿入するためのマイク保持部３を有する導音器。【効果】  マイク４をマイク保持部３に挿入して使用すると、口部１１が使用者の口元、耳部１２が耳付近を覆い、簡単な構成により使用者の歌唱音を適切に耳に導音することができる。また、使用者は、導音器１に挿入されたマイク４を把持するだけで、本件導音器１も使用することができる。【選択図】  図４
2018028652.tif 000002
【特許請求の範囲】
【請求項１】
本体とマイク保持部とを有する導音器であって、本体は所定広さを有する口部と、該口部の幅方向と異なる幅方向を有する耳部と、前記口部と前記耳部とを連結する連結部とからなり、本体の口部にマイク保持部を配置することを特徴とする導音器。
【請求項２】
本体は、板状体からなる口部と、該口部の一方側から連続して湾曲形成される連結部と、該連結部の一方側から連続形成される耳部と、からなることを特徴とする請求項１に記載の導音器。
【請求項３】
連結部は、口部と耳部とを回動自在で連結したことを特徴とする請求項１に記載の導音器。
【請求項４】
連結部は、使用姿勢において幅方向が交差する角度を調節する角度調節部を有することを特徴とする請求項３に記載の導音器。
【請求項５】
本体は、その外周から裏面側に突出して形成される周壁を有し、回動する連結部により前記口部の幅方向と前記耳部の幅方向とが交差するＬ状の使用姿勢と、箱状の収納姿勢とに切り替わることを特徴とする請求項３または４のいずれか一項に記載の導音器。
【請求項６】
マイク保持部は、本体の口部に形成された孔であり、当該開孔部分に弾力性を有し、挿入孔を有する保持部材を配置したことを特徴とする請求項１、２、３、４または５のいずれかに一項に記載の導音器。
【請求項７】
本体の口部の他方側である連結部側と反対側の部分は、マイク保持部から更に延長した延長部分を有することを特徴とする請求項１、２、３、４、５または６のいずれか一項に記載の導音器。
【請求項８】
本体の裏面側に複数のリブを形成することを特徴とする請求項１、２、３、４、５、６または７のいずれかに一項に記載の導音器。
【発明の詳細な説明】
【技術分野】
【０００１】
本発明は、主にカラオケボックスにおける歌唱用に用いるものであって、伴奏音が大きくなっても、歌唱者が自らの歌唱音を聞き取り易くするための、導音器に関する。
【背景技術】
【０００２】
従来から、伴奏音等の音が大きくなるにつれ、歌唱者の自らの歌声が聞き取り難くなることがあった。この歌声を聞き取るために、プロ歌唱者はコンサートホール等の大きな施設において、マイクに集音された歌声がイヤホンを通じて歌唱者へ送られる手法が取られていた。
【０００３】
このような問題は、コンサートホールを用いるプロ歌唱者のみではなく、一般人が歌唱するカラオケボックスにおいても同様に生じている。つまり、カラオケボックスにおいても、各ボックス内の伴奏音が大きくなり、カラオケボックスの使用者（歌唱者）は自らの歌唱音を聞き取り難くなっていた。
【０００４】
また、自らの歌声を聞き取るために、細長く深い皿状の湾曲部を有する歌唱練習用器具が先行技術として存在した（特許文献１参照）。
【先行技術文献】
【特許文献】
【０００５】
【特許文献１】特開２０１０−２４３９９３号公報
【発明の概要】
【発明が解決しようとする課題】
【０００６】
しかし、特許文献１に記載の練習用器具はカラオケボックスで用いるものではなく、電話の受話器のように使用して、単なる歌唱者の歌声を聞き取れるようにしたものであり、マイクを用いるカラオケボックスでの歌唱用には適していなかった。そこで、マイクを用いて使用をすることができ、歌唱者自らの歌声を聞き取りしやすくできる器具が求められてきた。
【課題を解決するための手段】
【０００７】
そこで本発明の導音器は、本体とマイク保持部とを有する導音器であって、本体は所定広さを有する口部と、該口部の幅方向と異なる幅方向を有する耳部と、前記口部と前記耳部とを連結する連結部とからなり、本体の口部にマイク保持部を配置することを特徴とするものである。
【０００８】
また、本体は、板状体からなる口部と、該口部の一方側から連続して湾曲形成される連結部と、該連結部の一方側から連続形成される耳部と、からなることが好ましい。
【０００９】
また、連結部は、口部と耳部とを回動自在で連結することが好ましい。
【００１０】
また、連結部は、使用姿勢において幅方向が交差する角度を調節する角度調節部を有することが好ましい。
【００１１】
また、本体は、その外周から裏面側に突出して形成される周壁を有し、回動する連結部により前記口部の幅方向と前記耳部の幅方向とが交差するＬ状の使用姿勢と、箱状の収納姿勢とに切り替わることが好ましい。
【００１２】
また、マイク保持部は、本体の口部に形成された孔であり、当該開孔部分に弾力性を有し、挿入孔を有する保持部材を配置することが好ましい。
【００１３】
また、本体の口部の他方側である連結部側と反対側の部分は、マイク保持部から更に延長した延長部分を有することが好ましい。
【００１４】
また、本体の裏面側に複数のリブを形成することが好ましい。
【発明の効果】
【００１５】
上記請求項１〜３に記載の発明により、使用者はマイク保持部で保持したマイクを握ることで、本発明の導音器により口元から片方の耳付近を覆うことができる。これにより、簡単な構造の導音器で歌唱音が耳に届きやすくなる。
【００１６】
請求項４に記載の発明により、使用者の体型や好みなどに応じた位置に耳部や口部を配置することができる導音器を提供することができる。
【００１７】
請求項５に記載の発明により、歌唱者の口から広がる歌唱音を適切に反響させて、耳部へ導音することが可能になる。また、収納姿勢の本体を箱状にすることができる。
【００１８】
請求項６に記載の発明により、マイクを簡単な構造で保持することができる導音器を提供することができる。
【００１９】
請求項７に記載の発明により、口部から耳部と反対の方向に延長部分を有することにより、歌唱者の口から広がる歌唱音を適切に反響させて、耳部へ導音することが可能になる。
【００２０】
請求項８に記載の発明により、導音器の裏面に複数のリブを有することで、適度に歌唱音を反響させて、耳部へ導音することが可能になる。
【図面の簡単な説明】
【００２１】
【図１】本発明の導音器にマイクを挿入した状態を示す斜視図である。
【図２】本発明の導音器を示す斜視図である。
【図３】本発明の導音器を示すものであって、（ａ）はその正面図、（ｂ）は（ａ）のＡ−Ａ線断面図である。
【図４】本発明の導音器を使用者（歌唱者）が用いる使用状態の一例を示す斜視図である。
【図５】本発明の導音器を使用者（歌唱者）が用いる他の一例を示す正面図である。
【図６】本発明の導音器の別の実施形態を示すもので、（ａ）は第二実施形態の斜視図、（ｂ）は第三実施形態の斜視図である。
【図７】第四実施形態の導音器を示すもので、（ａ）は使用姿勢の一例、（ｂ）は収納姿勢の一例である。
【図８】本発明の導音器の第四実施形態の口部材を示すもので、（ａ）は斜視図、（ｂ）は側面図である。
【図９】本発明の導音器の第四実施形態の耳部材を示すもので、（ａ）は斜視図、（ｂ）はＢ−Ｂ線断面図である。
【図１０】アタッチメントを利用した保持部材の一例を示すもので、（ａ）はアタッチメントの斜視図、（ｂ）は導音器のアタッチメント周辺の斜視図である。
【発明を実施するための形態】
【００２２】
本発明の実施の一例を図面に沿って説明する。本発明の導音器１は本体２とマイク保持部３とからなるものであるが、図１に示すように、使用時には、本体２の口部１１に開孔されたマイク保持部３にマイク４を挿入して使用する。
【００２３】
図１〜図３に示すように、本体２は主に口部１１、耳部１２、連結部１３からなり、プラスチックからなる板状のものである。本体２を保護するために、板状体全体をシリコーンゴム樹脂やその他の樹脂素材によりコーティングするものであってもよい。また、本体２は透明のものであってもよいが、色彩を配してもよい。なお、マイク４はカラオケボックスで利用する場合は、有線や無線マイクを用いるが、家庭練習用に用いる場合にはダミーマイクであってもよい。
【００２４】
図３（ａ）に示すように、正面視において、本体２の口部１１は、略長方形状となるように形成される。口部１１は、マイク保持部３よりも上方にある上端縁２１と、同じく下方にある下端縁２２を有し、上端縁２１から下端縁２２まで所定の高さ（図２におけるＺ方向）を有し、かつ、所定の横幅（図２におけるＸ方向）の長さを有する。そのため、使用者（歌唱者）の口元、口周りを覆い隠す所定の広さを有する。
【００２５】
これは、図５に示すように、使用者Ｐ２が顔面と口部１１とが正対するように本発明の導音器１を使用した場合において、口部１１の上端縁２１が鼻先、下端縁２２が顎を覆い、後述の延長部分２３から連結部１３までの横幅方向の長さにより、口部１１は、使用者（歌唱者）の口元、口周り全体を覆うことができる。
【００２６】
口部１１の一方側から連結部１３が連続して形成されるが、連結部１３と反対側の部分を延長する延長部分２３を有する。この延長部分２３は口部１１の一部分であり、口部１１全体として使用者の口元、口周りを覆う。この延長部分２３は、本実施形態において、湾曲して形成されており、使用者（歌唱者）の歌唱音（声）を適切に有効に耳部１２へ導音することが可能になる。この延長部分２３は、本実施形態のように湾曲して形成されていることが好ましいが、単に延長された部分であってもよい。
【００２７】
図２に示すように、口部１１の横幅（Ｘ方向）の一方側（図２の右手前側）から、湾曲して連続形成される連結部１３を有し、さらに、その一方側から連続形成される耳部１２を有する。この実施形態では、口部１１の横幅（Ｘ方向）と、耳部１２の横幅（Ｙ方向）とは、連結部１３を介して連続する形態となり、しかも、両者の間には所定の交差角度を有する。ただし、この実施形態に限定されるものではなく、約７０度や約６０度程度の緩やかな交差角度であってもよい。耳部１２は、使用者（歌唱者）の耳元に位置するようにし、その外側端部の厚みが薄くなるよう形成されている。
【００２８】
本体２の湾曲は、連結部１３が主として湾曲することによるもので、曲率半径の小さな湾曲部分である。この連結部１３が横幅をＸ方向とする口部１１と、横幅をＹ方向とする耳部１２とが連続するように形成されるが、口部１１と耳部１２も若干、湾曲して形成される。この口部１１と耳部１２の湾曲は、連結部１３と異なり、曲率半径が大きく、緩やかな湾曲となっている。この形態により、本体２は、図３（ｂ）に示すように、平面視において、略横Ｌ字状の形態となる。
【００２９】
図３（ａ）、（ｂ）に示すように、マイク保持部３は、本体２の口部１１に丸孔状に形成される。この丸孔状の開孔部分の周縁３ａから、その内方に、ドーナツ型のシリコーンゴムからなる保持部材３ｂが配置される。ドーナツ型の保持部材３ｂの中心の孔がマイク４を挿入する挿入孔３ｃとなる。この挿入孔３ｃにマイク４を挿入し、弾力性を有するシリコーンゴムによる滑り止め効果により、マイク４がマイク保持部３に強固に保持される。これにより、簡易な構成によるマイク４の保持が可能になる。
【００３０】
マイク保持部３は、簡易な手段によりマイク４を保持することができるが、その他、アタッチメントを備えたり、マイクを挟持する固定部材を備えるものであってもよい。
【００３１】
次に、導音器１の使用方法について説明する。図５に示すように、使用者Ｐ２がマイク４（図示しない）をもち、本体２の口部１１が顔面と正対するように使用することが好ましいが、マイクの持ち方はそれぞれ異なるため、その他の使用状態でもよい。例えば、図４に示すように、マイク４を顔面の手前下側でもって、使用する態様が考えられる。この場合であっても、使用者（歌唱者）Ｐ１の口元を口部１１が覆い、耳部１２が使用者（歌唱者）の耳から少々離れた位置にあっても、歌唱音が導音器１により耳部１２の方へ導音されるため、歌唱音を聞き取り易くすることができる。
【００３２】
その他の実施形態について説明する。図６（ａ）に示すように、本体２の裏面側に横幅方向のリブ３１、３１を複数形成する。また、図６（ｂ）に示すように、本体２の裏面側に高さ方向のリブ３２、３２を複数形成する。これらのリブにより、歌唱音を適切に反射させて、適切に導音することが可能になる。
【００３３】
また、本発明の導音器１を配色し、外部から口元や口周りが見えないようにすることもできる。これは、特に外国人にはカラオケ機を用いて人前で歌唱することに抵抗を感じる者がおり、口元を隠すことにより、その抵抗感を和らげる効果をもつ。それに、歌っているときに口元から唾が排出されることがあるが、この導音器１を用いるとその唾を遮蔽することもできる。
【００３４】
導音器１のさらに他の実施形態について説明する。図７（ａ）、（ｂ）に示すように、この実施形態における本体２は、口部１１を構成する口部材６１と、耳部１２とを構成する耳部材７１とを別部材とし、連結部８１が口部材６１の口部材連結部８２、耳部材７１の耳部材連結部８３に一体的に形成され、これにより口部１１と耳部１２とを回動可能にしたものである。
【００３５】
図８（ａ）、（ｂ）に示すように、口部材６１は、略長方形状の底面６２とその底面の周囲を立ち上げる周壁６３とからなり、底面６２の中央やや右寄り（図８（ａ）の右手前側寄り）に大きく開口したマイク保持部６４を有する。
【００３６】
マイク保持部６４とその図８（ａ）の右手前側の周壁６３との間は所定の間隔を空けた延長部分６５が形成される。延長部分６５に近い周壁６３は、他の周壁６３よりも高く形成される。周壁６３の立ち上がりは上方に向けてやや広がるように立ち上がる。
【００３７】
図８（ａ）におけるマイク保持部６４は単なる円状の開口部分であるが、後述のとおり、本実施形態においてはアタッチメント５５からなる保持部材を使用する。しかし、このマイク保持部６４の開口部分にシリコン樹脂等による円形部材を嵌め込んでも良い。この保持部材は弾力性を有し、マイクを挿入して保持するための挿入孔を有する。
【００３８】
図８（ａ）、（ｂ）に示すように、連結部８１の一つである口部材連結部８２は、口部材６１の一方側（耳部材７１側、図８（ａ）の左奥側）に形成される。口部材６１の周壁６３から連続する湾曲壁８４ａと、口部材６１の底面６２から連続する底面８５とを有し、湾曲壁８４ａには後述する軸部８８を受ける開口部８６が形成される。
【００３９】
口部材連結部８２の湾曲壁８４ａには、適宜位置に溝状の凹部９１、９２が形成され、これが角度調整部となる。角度調整部については後述する。
【００４０】
図９（ａ）、（ｂ）に示すように、耳部材７１は、上面７２と、その上面７２の周囲から連続して下がる周壁７３が形成される。この周壁７３は、収納姿勢において口部材６１の周壁６３の外側に位置するようにしている。
【００４１】
連結部８１の一つである耳部材連結部８３は、耳部材７１の一方側（口部材６１側、図９（ａ）の左奥側）に形成される。耳部材７１の周壁７３から連続する湾曲壁８４ｂと、耳部材７１の上面７２から連続する上面８７とを有する。湾曲壁８４ｂには、内方に向けて突出する軸部８８を有し、口部材連結部８２の開口部８６に挿入して係合される。
【００４２】
これらにより、口部材６１と耳部材７１とが回動自在で連結される。この回動により、図７（ａ）に示す口部材６１の幅方向と耳部材７１の幅方向とが交差するＬ状の使用姿勢と、図７（ｂ）に示す互いの幅方向が平行する収納姿勢とに切り替えることができる。
【００４３】
図９（ｂ）に示すように、耳部材７１の耳部材連結部８３の湾曲壁８４ｂには凸部９３が形成される。この凸部９３と凹部９１、９２により角度が調整される角度調整部となる。
【００４４】
角度調整部について説明する。図９（ｂ）に示すように、耳部材連結部８３の湾曲壁８４ｂには、内側に突出する凸部９３が水平方向に突条になるように形成される。一方、図８（ｂ）に示すように、口部材連結部８２の湾曲壁８４ａの外側面には内側に凹むようにした溝状の凹部９１、９２が複数形成される。この凹部９１、９２は、導音器１を収納姿勢にした状態（図７（ｂ）の状態）において、凸部９３に係合する位置にした収納状態の凹部９１と、使用姿勢にした状態で凸部９３に係合する位置にした使用状態の凹部９２とからなる。
【００４５】
使用状態の凹部９２は、複数形成され、本実施形態においては片側５つの凹部９２が、開口部８６を中心に円弧上に形成される。これは、使用姿勢における口部材６１に対する耳部材７１の角度を適宜変更できるようにしたものである。なお、凹部９１、９２はこの形態に限定されず、凹部９２が５つ以上あってもよく、開口部８６を中心に湾曲壁８４ａの外表面を埋めるように形成してもよい。なお、本実施形態における凸部９３、凹部９１、９２は両側の湾曲壁８４ａ、８４ａ、８４ｂ、８４ｂに形成される。
【００４６】
本実施形態における角度調整部は、凸部と凹部の係合によるものであるが、これが凸部と凸部との係合であったり、フック状の係合によるものであってもよい。
【００４７】
この角度調整部により、使用者（歌唱者）は、凸部９３が嵌り込む凹部９１、９２を選択することで、歌唱者の体型や好みなどに応じた位置に口部材６１や耳部材７１を配置したり、収納姿勢に保持したりすることができる。
【００４８】
また、口部材６１及び耳部材７１は、使用姿勢で底面６２と上面７２とが一連の面となり、周壁６３、７３に囲まれた状態を形成する。これにより、導音器１は、使用姿勢において、裏面側に開口したＬ字状の内部空間を形成することができる。これにより、歌唱者の口から広がる歌唱音を適切に反響させて、耳部材７１へ導音することが可能になる。
【００４９】
口部材６１の周壁６３は、口部材連結部８２側と延長部分６５側に比べ、中央部分の高さが低く形成され、その底面６２からの突出量がマイク保持部６４に向けて小さくなるよう傾斜して形成される。これにより、口部材６１を歌唱者の口元に近づけた際に、周壁６３を歌唱の邪魔になり難くできる。
【００５０】
同じく、耳部材７１の周壁７３もその中央部分の高さが両側よりも低く形成され、耳部材７１の上面７２からの突出量が小さくなるよう形成される。これにより、耳部材７２を歌唱者の耳元に近づけた際に、周壁７３を歌唱の邪魔になり難くできる。
【００５１】
導音器１は、収納姿勢で箱状にすることで、口部１１の裏面を他の導音器１に接触させずに導音器１を重ねて収納することができる。また、後述するアタッチメント５５やマイクを導音器１内に収納することができ、保管上優れた形態となる。
【００５２】
次に保持部材について説明する。図１０（ａ）、（ｂ）に示すように、本実施形態では、アタッチメント５５を利用した保持部材を使用する。アタッチメント５５はプラスチック樹脂からなり、内部に挿入孔５７を有する筒状物であり、上端縁にはシリコン樹脂等の弾力性のある素材（弾性体）からなる保持部材５６が配置され、当該保持部材５６は下方がテーパー状に形成される。
【００５３】
このアタッチメント５５の外径は、口部材６１のマイク保持部６４の径より小さいため、保持部材５６（弾性体）を下方からマイク保持部６４に通すと、保持部材５６のテーパー部分がマイク保持部６４に係合して保持される。これにより、保持部材５６が口部材６１のマイク保持部６４の外周に係合し、アタッチメント５５が口部材６１から突出するように保持される。
【００５４】
筒状のアタッチメント５５の挿入孔５７の径はマイク４の外径とほぼ同一とすることにより、アタッチメント５５の筒状部分によりマイク４を保持することが可能になる。なお、マイクの外径が異なる場合、異なるアタッチメントを複数用意することにより、様々なマイクに対応することができる。
【符号の説明】
【００５５】
１…導音器、２…本体、３、６４…マイク保持部、３ａ…周縁、３ｂ、５６…保持部材、３ｃ…挿入孔、４…マイク、１１…口部、１２…耳部、１３、８１…連結部、２１…上端縁、２２…下端縁、２３、６５…延長部分、３１…リブ、３２…リブ、５５…アタッチメント、５７…挿入孔、６１…口部材、６３、７３…周壁、７１…耳部材、８２…口部材連結部、８３…耳部材連結部、８６…開口部、８８…軸部、９１、９２…凹部、９３…凸部
【図１】
2018028652.tif 000003
【図２】
2018028652.tif 000004
【図３】
2018028652.tif 000005
【図４】
2018028652.tif 000006
【図５】
2018028652.tif 000007
【図６】
2018028652.tif 000008
【図７】
2018028652.tif 000009
【図８】
2018028652.tif 000010
【図９】
2018028652.tif 000011
【図１０】
2018028652.tif 000012